(57)【要約】      （修正有）【課題】通信エラーの原因の特定を容易にする。【解決手段】指定された情報格納部識別情報および指定された認証情報に基づいて送信可否を判定するポーリング通信が可能なファクシミリ通信システムにおいて、指定された情報格納部識別情報または指定された認証情報のうち、少なくともいずれか一方に誤りが発生したときに原因を特定するエラー情報を生成するエラー情報生成手段と、エラー情報生成手段が生成したエラー情報を装置識別情報記憶手段に記憶した装置識別情報に基づいて送信するエラー情報送信手段と、を備える。【選択図】図３
2014183489.tif 000002
【特許請求の範囲】
【請求項１】
指定された情報格納部識別情報および指定された認証情報に基づいて送信可否を判定するポーリング通信が可能なファクシミリ通信システムにおいて、
予め情報格納部識別情報が付与され、認証情報を登録設定される複数の情報格納部にそれぞれ画像データを格納する画像データ格納手段と、
前記画像データの取得を要求する発信元の装置識別情報を取得する装置識別情報取得手段と、
前記装置識別情報取得手段が取得した装置識別情報を記憶する装置識別情報記憶手段と、
前記発信元から指定された情報格納部識別情報および指定された認証情報と一致する情報格納部が存在するか否かを判定する情報格納部指定判定手段と、
前記情報格納部指定判定手段が一致する情報格納部は存在しないと判定した場合、指定された情報格納部識別情報または指定された認証情報のうち、少なくともいずれか一方に誤りが発生したときに原因を特定するエラー情報を生成するエラー情報生成手段と、
前記エラー情報生成手段が生成した前記エラー情報を、前記装置識別情報記憶手段に記憶した装置識別情報に基づいて送信するエラー情報送信手段とを備えたことを特徴とするファクシミリ通信システム。
【請求項２】
請求項１に記載したファクシミリ通信システムにおいて、
前記エラー情報の送信を許可する装置識別情報を登録するエラー原因送信許可装置識別情報登録手段と、
前記エラー原因送信許可装置識別情報登録手段が登録した装置識別情報を記憶するエラー原因送信許可装置識別情報記憶手段と、
前記エラー原因送信許可装置識別情報記憶手段に記憶した装置識別情報と前記装置識別情報記憶手段に記憶した装置識別情報とが一致するか否かを判定するエラー原因送信許可装置識別情報判定手段とをさらに備え、
前記エラー原因送信許可装置識別情報判定手段が一致すると判定した場合、前記エラー情報送信手段は、前記エラー情報を前記装置識別情報に基づいて送信することを特徴とするファクシミリ通信システム。
【請求項３】
請求項１または請求項２に記載したファクシミリ通信システムにおいて、
前記装置識別情報は、電話番号、ファクシミリ番号、メールアドレス、またはＩＰアドレスのいずれかであることを特徴とするファクシミリ通信システム。
【請求項４】
請求項１から請求項３のいずれか１項に記載のファクシミリ通信システムにおいて、
前記エラー情報生成手段は、エラー原因、指定された情報格納部識別情報および指定された認証情報を記載した報告を画像データとして生成することを特徴とするファクシミリ通信システム。
【請求項５】
請求項４に記載したファクシミリ通信システムにおいて、
前記エラー情報送信手段は、画像データとしてエラー情報を送信することを特徴とするファクシミリ通信システム。
【請求項６】
請求項１から請求項３のいずれか１項に記載のファクシミリ通信システムにおいて、
ファクシミリ通信手順による送発信のファクシミリ装置間で互いに能力の宣言を行うファクシミリ能力交換で、エラー原因通知能力の交換を行うエラー原因通知能力交換手段を備えたことを特徴とするファクシミリ通信システム。
【請求項７】
請求項６に記載したファクシミリ通信システムにおいて、
前記エラー情報生成手段は、エラー原因、指定された情報格納部識別情報および、指定された認証情報を特定可能な通信制御手順信号の付加情報として生成することを特徴とするファクシミリ通信システム。
【請求項８】
請求項７に記載したファクシミリ通信システムにおいて、
前記エラー情報送信手段は、エラー情報を通信制御手順信号の付加情報として送信することを特徴とするファクシミリ通信システム。
【請求項９】
請求項８に記載したファクシミリ通信システムにおいて、
前記エラー情報送信手段によって通信制御手順信号の付加情報として送信されたエラー情報を表示装置へ表示するエラー情報表示手段と、
前記エラー情報送信手段によって通信制御手順信号の付加情報として送信されたエラー情報を通信管理報告へ記載するエラー情報記載手段とを備えることを特徴とするファクシミリ通信システム。
【発明の詳細な説明】
【技術分野】
【０００１】
本発明は、ポーリング通信機能を有するファクシミリ通信システムに関する。
【背景技術】
【０００２】
従来のファクシミリ通信システムは、複数のＢＯＸ毎に指定されたポーリング受信を希望する相手に対し、ポーリング送信待ち状態であることを自動で通知するようにしているものがある（例えば、特許文献１参照）。
【先行技術文献】
【特許文献】
【０００３】
【特許文献１】特開２００３−０６０８６７号公報
【発明の概要】
【発明が解決しようとする課題】
【０００４】
しかしながら、従来の技術においては、ＢＯＸ指定およびパスワード指定に対応したポーリング送信データの取得操作では、ＢＯＸ指定情報またはパスワード情報の少なくともいずれか一方が発信側ユーザの入力ミス等により誤って指定された場合に、通信エラーとなりＢＯＸ指定およびパスワード指定に対応したポーリング送信データを取得できない場合がある。このとき、発信側ユーザは通信エラーの原因を特定することが出来ないという問題がある。
本発明は、このような問題を解決することを課題とし、通信エラーの原因の特定を容易にすることを目的とする。
【課題を解決するための手段】
【０００５】
そのため、本発明は、指定された情報格納部識別情報および指定された認証情報に基づいて送信可否を判定するポーリング通信が可能なファクシミリ通信システムにおいて、予め情報格納部識別情報が付与され、認証情報を登録設定される複数の情報格納部にそれぞれ画像データを格納する画像データ格納手段と、前記画像データの取得を要求する発信元の装置識別情報を取得する装置識別情報取得手段と、前記装置識別情報取得手段が取得した装置識別情報を記憶する装置識別情報記憶手段と、前記発信元から指定された情報格納部識別情報および指定された認証情報と一致する情報格納部が存在するか否かを判定する情報格納部指定判定手段と、前記情報格納部指定判定手段が一致する情報格納部は存在しないと判定した場合、指定された情報格納部識別情報または指定された認証情報のうち、少なくともいずれか一方に誤りが発生したときに原因を特定するエラー情報を生成するエラー情報生成手段と、前記エラー情報生成手段が生成した前記エラー情報を、前記装置識別情報記憶手段に記憶した装置識別情報に基づいて送信するエラー情報送信手段とを備えたことを特徴とする。
【発明の効果】
【０００６】
このようにした本発明は、通信エラーの原因の特定を容易にできるという効果が得られる。
【図面の簡単な説明】
【０００７】
【図１】第１の実施例におけるファクシミリ通信システムの構成を示すブロック図
【図２】第１の実施例におけるファクシミリ装置の構成を示すブロック図
【図３】第１の実施例におけるファクシミリ装置の制御部の構成を示すブロック図
【図４】第１の実施例における通信ジョブ情報の構成を示す説明図
【図５】第１の実施例におけるエラー原因通知許可宛先情報の構成を示す説明図
【図６】第１の実施例におけるＢＯＸ登録情報の構成を示す説明図
【図７】第１の実施例におけるＢＯＸ登録情報の設定を示す説明図
【図８】第１の実施例におけるＢＯＸ指定情報とＢＯＸ情報判定結果を示す説明図
【図９】第１の実施例におけるＢＯＸ指定正常時のファクシミリ通信のシーケンス図
【図１０】第１の実施例におけるＢＯＸ指定誤り時のファクシミリ通信のシーケンス図
【図１１】第１の実施例におけるＢＯＸ指定情報不一致レポートの構成を示す説明図
【図１２】第１の実施例における着信側ファクシミリ装置の制御部の処理の流れを示すフローチャート
【図１３】第１の実施例における着信側ファクシミリ装置の初期識別信号送出の処理の流れを示すフローチャート
【図１４】第１の実施例における着信側ファクシミリ装置の応答受信の処理の流れを示すフローチャート
【図１５】第２の実施例におけるファクシミリ装置の制御部の構成を示すブロック図
【図１６】第２の実施例におけるＢＯＸ指定誤り時のファクシミリ通信のシーケンス図
【図１７】第２の実施例における表示装置へのＢＯＸ不一致情報表示を示す説明図
【図１８】第２の実施例における通信管理レポートへのＢＯＸ不一致情報表示を示す説明図
【図１９】第２の実施例における切断命令信号への情報フィールド追加の例を示す説明図
【図２０】第２の実施例における着信側ファクシミリ装置の制御部の処理の流れを示すフローチャート
【図２１】第２の実施例における着信側ファクシミリ装置の初期識別信号送出の処理の流れを示すフローチャート
【図２２】第２の実施例における発信側ファクシミリ装置の制御部の処理の流れを示すフローチャート
【図２３】第２の実施例における発信側ファクシミリ装置の命令受信の処理の流れを示すフローチャート
【図２４】第２の実施例における発信側ファクシミリ装置の応答受信の処理の流れを示すフローチャート
【発明を実施するための形態】
【０００８】
以下、図面を参照して本発明によるファクシミリ通信システムの実施例を説明する。
【実施例１】
【０００９】
図１は、第１の実施例におけるファクシミリ通信システムの構成を示すブロック図である。
図１において、ファクシミリ通信システムは、ＦＡＸ‐Ａ１００については回線２を介して、ＦＡＸ‐Ｂ５については回線３を介して、ＦＡＸ‐Ｃ６については回線４を介して、それぞれ交換回線網１に接続することで構成されている。なお、ファクシミリは一般的にＦＡＸと呼ばれている。
【００１０】
ＦＡＸ‐Ａ１００は、本実施例である着信側ファクシミリ装置であり、ＦＡＸ番号は「０３−１１１１−１１１１」が割り当てられている。
また、ＦＡＸ‐Ａ１００は、認証情報としてのパスワードによって情報開示の是非を管理する情報格納部（以下、ＢＯＸ）を有している。ＢＯＸは、情報格納部識別情報であるＢＯＸ番号によって予め識別されている。
【００１１】
ＦＡＸ‐Ｂ５は、本実施例における発信側ファクシミリ装置であり、ＦＡＸ番号は「０３−２２２２−２２２２」が割り当てられていて、ＦＡＸ‐Ａ１００においてエラー情報通知許可の設定が行われている。
ＦＡＸ‐Ｃ６は、本実施例における発信側ファクシミリ装置であり、ＦＡＸ番号は「０３−３３３３−３３３３」が割り当てられていて、ＦＡＸ‐Ａ１００においてエラー情報通知許可の設定が行われていない。
【００１２】
交換回線網１は、加入電話回線交換網であり、末端に音声端末をつなぎ、回線交換方式で相手に接続して音声データを授受する。ファクシミリ通信などのデータ通信を行う場合は、モデムを介してデータ列と音声信号の相互変換を行う。
回線２、回線３、回線４は、電話回線であり、加入電話回線交換網と端末を電気的に接続するケーブルである。図１では、ＦＡＸ‐Ｂ５、またはＦＡＸ‐Ｃ６から交換回線網１を介して、ＦＡＸ‐Ａ１００へＢＯＸ指定およびパスワード指定に対応したポーリング送信を要求する利用形態を示している。
【００１３】
図２は、第１の実施例におけるファクシミリ装置の構成を示すブロック図であり、ＦＡＸ‐Ａ１００の構成である。
図２において、ＦＡＸ‐Ａ１００は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、読取装置１４と、印刷装置１５と、回線２に接続されている通信装置１６と、操作表示装置１７とから構成されており、システムバス１１を介してそれぞれ接続されている。
【００１４】
ＣＰＵ１０は、中央処理装置である。
ＲＯＭ１２は、記憶装置であり、ＣＰＵ１０によって実行されるソフトウェアであるプログラムを予め格納し、図３で説明するソフトウェアを含む。
ＲＡＭ１３は、記憶装置であり、ＣＰＵ１０によるプログラムの実行時に発生するデータを記憶する。
読取装置１４は、ＣＣＤ（Ｃｈａｒｇｅ  Ｃｏｕｐｌｅｄ  Ｄｅｖｉｃｅ）などを利用したスキャナ装置であり、原稿を読み取り、ドットイメージデータに変換する。
【００１５】
印刷装置１５は、感熱記録方式、電子写真方式などのプリンタ装置であり、ファクシミリ通信で受信した画データなどをハードコピーとして出力する。
通信装置１６は、モデム（変復調装置）、ＮＣＵ（Ｎｅｔｗｏｒｋ  Ｃｏｎｔｒｏｌ  Ｕｎｉｔ：網制御装置）などにより構成され、ファクシミリ伝送制御手順による手順データ、画データを変復調し、相手先のファクシミリ装置間とデータを授受する。また、交換回線網との接続および開放を制御する。
回線２は、電話回線であり、加入電話回線交換網に接続される。
【００１６】
操作表示装置１７は、ファクシミリ装置の状態を示す表示装置（液晶表示装置など）および音響装置（スピーカーなど）と操作に必要な数字キー（テンキー）、スタートキー、ファンクションキー、カーソルキーなどを備え、エラー情報の送信を許可する装置識別情報を登録するエラー原因送信許可装置識別情報登録手段である。
なお、装置識別情報は、電話番号、ファクシミリ番号、メールアドレス、またはＩＰ（Ｉｎｔｅｒｎｅｔ  Ｐｒｏｔｏｃｏｌ）アドレスのいずれかであるとする。
【００１７】
図３は、第１の実施例におけるファクシミリ装置の制御部の構成を示すブロック図である。
図３において、制御部２０は、図２に示すＲＯＭ１２に含まれ、ＣＰＵ１０によって実行されるソフトウェアであり、後述するシステム制御部２１と、操作表示制御部２２と、読取制御部２３と、印刷制御部２４と、画像データ処理部２５と、通信制御部２６と、通信ジョブ管理部２７と、レポート作成部２８と、ＢＯＸ情報管理部２９と、相手機情報取得部３０と、ＢＯＸ指定判定部３１と、エラー原因送信許可判定部３２と、ＢＯＸ不一致レポート作成部３３とを動作させるためのソフトウェアを含む。
【００１８】
次に、制御部２０に含まれる各部について、図３に基づいて図２を参照しながら説明する。
システム制御部２１は、システム内における各資源の管理を行い、後述する制御プログラムの起動や調停を行う。
操作表示制御部２２は、操作表示装置１７を制御し、ユーザとのユーザインターフェイスを実行する。
読取制御部２３は、読取装置１４を制御し、原稿の読み取りに関する一連の動作を実行する。
【００１９】
印刷制御部２４は、印刷装置１５を制御し、ファクシミリ受信画およびファクシミリ装置に関する各種帳票類を印刷する一連の動作を実行する。
画像データ処理部２５は、ファクシミリ符号化データの圧縮や伸長の処理を実行する。
通信制御部２６は、図２に示す通信装置１６を制御し、交換回線網１と接続し、ファクシミリ伝送制御手順および、画データの授受を実行する。また、ファクシミリ伝送制御手順によって送られてきた情報の取得および、格納を行う。
また、通信制御部２６は、画像データとしてエラー情報を送信する。
【００２０】
通信ジョブ管理部２７は、操作表示装置１７を介して、ユーザの操作により指示されたファクシミリ通信および、相手側ファクシミリ装置により発生したファクシミリ呼の到来に応じて行われるファクシミリ通信の管理、または実行するための通信ジョブの生成／抹消、および管理、さらに通信ジョブを実行するため、プログラムの起動や調停を行う。
レポート作成部２８は、ファクシミリ装置に関する各種帳票類を作成する。
ＢＯＸ情報管理部２９は、操作表示装置１７を介して、ユーザにより行われた設定および、変更操作の結果を図６に示すＢＯＸ登録情報６０へ格納する。
【００２１】
つまり、画像データ格納手段としてのＢＯＸ情報管理部２９は、ＢＯＸ番号が付与され、パスワードを登録設定される複数のＢＯＸにそれぞれ画像データを格納する。
また、操作表示装置１７を介して、ユーザ操作によりＢＯＸ指定およびパスワード指定に対応したポーリング送信データの登録が指示された場合は、読取制御部２３および、画像データ処理部２５を使用して、原稿を読み取り、ファクシミリ符号化データを生成し、ファクシミリ符号化データをＢＯＸ登録情報６０へ格納を行う。
【００２２】
相手機情報取得部３０は、通信制御部２６に呼び出され、相手機より送出された相手機電話番号情報の取得、および取得したデータを図４に示す通信ジョブ情報４０の相手先電話番号４３へ格納を行う。すなわち、装置識別情報取得手段である相手機情報取得部３０は、画像データとしてのファクシミリ符号化データの取得を要求する発信元の装置の識別情報を取得する。
【００２３】
ＢＯＸ指定判定部３１は、通信制御部２６に呼び出され、予め設定されているＢＯＸ登録情報６０の図６に示すＢＯＸ種別６２が「掲示板」として登録されているＢＯＸを比較対象とし、図６に示すＢＯＸ番号６１およびＢＯＸパスワード６３の情報、並びに画データ６４へのＢＯＸ指定およびパスワード指定に対応したポーリング送信データ登録の有無と通信制御部２６により図４に示す通信ジョブ情報４０に格納された指定ＢＯＸ番号４４および指定パスワード４５とを比較し、ＢＯＸ指定情報が正しいか否か判定する。
つまり、ＢＯＸ指定判定部３１は、発信元から指定されたＢＯＸ番号および指定されたパスワードと一致するＢＯＸが存在するか否かを判定する情報格納部指定判定手段である。
【００２４】
エラー原因送信許可判定部３２は、通信制御部２６に呼び出され、予め設定されているエラー原因通知許可宛先情報５０に登録されている装置識別情報としての宛先情報と図４に示す通信ジョブ情報４０に格納されている装置識別情報である相手先電話番号４３とを比較し、エラー原因通知許可宛先であるか否かを判定する。
つまり、エラー原因送信許可判定部３２は、エラー原因通知許可宛先情報５０に記憶した装置識別情報と通信ジョブ情報４０に記憶した装置識別情報とが一致するか否かを判定するエラー原因送信許可装置識別情報判定手段である。
【００２５】
ＢＯＸ不一致レポート作成部３３は、通信制御部２６に呼び出され、図４に示す通信ジョブ情報４０に格納されている指定ＢＯＸ番号４４、指定パスワード４５、およびＢＯＸ不一致情報４６を参照してＢＯＸ情報不一致レポートを作成する。
また、詳細は後述するが、ＢＯＸ不一致レポート作成部３３は、ＢＯＸ指定判定部３１が一致するＢＯＸは存在しないと判定した場合、指定されたＢＯＸ番号または指定されたパスワードのうち、少なくともいずれか一方に誤りが発生したときに原因を特定するエラー情報を生成するエラー情報生成手段である。
【００２６】
なお、ＢＯＸ不一致レポート作成部３３は、エラー原因、指定されたＢＯＸ番号および指定されたパスワードを記載した報告を画像データとして生成する。
ＢＯＸ不一致レポート作成部３３が生成したエラー情報を、エラー情報送信手段としての通信制御部２６は、エラー原因送信許可判定部３２がエラー原因通知許可宛先情報５０に記憶した装置識別情報と通信ジョブ情報４０に記憶した装置識別情報とが一致すると判定した場合、図４に示す通信ジョブ情報４０に記憶した装置識別情報に基づいて送信する。
【００２７】
なお、このように構成された制御部２０は、ＣＰＵ１０等の制御手段により構成され、ＲＯＭ１２のメモリ等の記憶部に格納された制御プログラム（ソフトウェア）に基づいて装置全体の動作を制御する。
図４は、第１の実施例における通信ジョブ情報の構成を示す説明図であり、ＦＡＸ‐Ａ１００の通信ジョブ管理部２７により管理される通信ジョブ情報４０の構成図である。
【００２８】
図４において、通信ジョブ情報４０は、ＲＡＭ１３に含まれ、制御部２０のプログラムにより利用されるデータであり、通信ジョブ管理部２７により通信ジョブ毎に作成され、通信種別４１と、通信結果情報４２と、相手先電話番号４３と、指定ＢＯＸ番号４４と、指定パスワード４５と、ＢＯＸ不一致情報４６とから構成されている。
すなわち、装置識別情報記憶手段としての通信ジョブ情報４０は、装置識別情報取得手段である相手機情報取得部３０が取得した装置識別情報を記憶する。
【００２９】
次に、通信ジョブ情報４０に含まれる各部について、図４に基づいて図３を参照しながら説明する。
通信種別４１は、ファクシミリ通信の通信種別情報が格納される。例えば、通常通信、親展通信、およびポーリング通信などの通信機能と送信または、受信の動作を組み合わせた情報が格納される。
【００３０】
通信結果情報４２は、通信制御部２６によって実行されたファクシミリ通信の結果情報であり、ファクシミリ通信の終了時に通信ジョブ管理部２７により本情報が参照され、通信ジョブの後処理が実行される。
相手先電話番号４３は、発信動作の場合には、ユーザにより宛先指定された相手先の電話番号情報が格納され、着信動作の場合には、相手機情報取得部３０により取得した発信側電話番号情報が格納される。
【００３１】
指定ＢＯＸ番号４４は、発信動作の場合には、ユーザにより指定されたＢＯＸ番号指定情報が格納され、着信動作の場合には、通信制御部２６により取得されたＢＯＸ番号指定情報が格納される。
指定パスワード４５は、発信動作の場合には、ユーザにより指定されたパスワード情報が格納され、着信動作の場合には、通信制御部２６により取得されたパスワード情報が格納される。
【００３２】
ＢＯＸ不一致情報４６は、ＢＯＸ指定判定部３１により行われた判定結果が格納される。判定結果として本実施例では、指定されたＢＯＸ番号が存在しない場合および指定されたＢＯＸ番号は一致しているが、指定されたパスワードが一致しない場合および指定されたパスワードは一致しているが、指定されたＢＯＸにＢＯＸ指定およびパスワード指定に対応したポーリング送信データが格納されていない場合には、登録データなしとなる。
【００３３】
図５は、第１の実施例におけるエラー原因通知許可宛先情報の構成を示す説明図であり、ＦＡＸ‐Ａ１００のエラー原因送信許可判定部３２により参照されるエラー原因通知許可宛先情報５０の構成図である。
図５において、エラー原因通知許可宛先情報５０は、図２に示すＲＡＭ１３に含まれ、図３に示す制御部２０のプログラムにより利用されるデータであり、図２に示す操作表示装置１７を介して、ユーザの操作により設定および変更が可能である。
【００３４】
エラー原因通知許可宛先情報５０は、ｎ個のエラー原因通知許可宛先５１＿ｎを持つ配列データであり、添え字のｎは配列の要素番号を表しており、１から始まる整数である。
すなわち、エラー原因通知許可宛先情報５０は、操作表示装置１７を介して登録した装置識別情報を記憶するエラー原因送信許可装置識別情報記憶手段である。
【００３５】
図６は、第１の実施例におけるＢＯＸ登録情報の構成を示す説明図であり、ＦＡＸ‐Ａ１００の図３に示すシステム制御部２１により管理されるＢＯＸ登録情報６０の構成図である。
図６において、ＢＯＸ登録情報６０は、図２に示すＲＡＭ１３に含まれ、図３に示す制御部２０のプログラムにより利用されるデータであり、図２に示す操作表示装置１７を介して、ユーザの操作により設定および変更が可能である。
ＢＯＸ登録情報６０は、装置仕様として規定されているＢＯＸ登録情報の記憶数と同じ個数の情報を持っている。また、ＢＯＸ登録情報６０は、ＢＯＸ番号６１と、ＢＯＸ種別６２と、ＢＯＸパスワード６３と、画データ６４とから構成されている。
【００３６】
ＢＯＸ番号６１は、ＢＯＸを識別するための番号情報であり、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードで数字２０桁が格納可能である。ＢＯＸが未開設の場合は、ＡＳＣＩＩコードでスペース文字（「２０」（１６進数））が２０桁格納される。
ＢＯＸ種別６２には、ＢＯＸの種類を示す情報が格納される。ＢＯＸの種類には、掲示板（ポーリング）ＢＯＸ、親展ＢＯＸ、および中継ＢＯＸなどがあり、それぞれが区別可能なコードデータを格納する。例えば、掲示板ＢＯＸ＝「０１」（１６進数）、親展ＢＯＸ＝「０２」（１６進数）、中継ＢＯＸ＝「０３」（１６進数）のように格納される。
【００３７】
ＢＯＸパスワード６３には、ＢＯＸの操作を特定のユーザに制限するために付与されたパスワード情報であり、ＡＳＣＩＩコードで数字２０桁が格納される。パスワードが未設定の場合は、ＡＳＣＩＩコードでスペース文字（「２０」（１６進数））が２０桁格納される。
画データ６４には、ＢＯＸに登録されているファクシミリ符号化データが格納されている画像メモリのアドレス情報が格納される。ファクシミリ符号化データが未登録の場合は、メモリエリアの先頭を意味する０番地が格納される。
【００３８】
図７は、第１の実施例におけるＢＯＸ登録情報の設定を示す説明図であり、ＦＡＸ‐Ａ１００に登録されるＢＯＸ登録情報６０の設定例を示している。
図７において、左から１番目の列は、ＢＯＸ登録情報６０の配列データの要素番号である。
【００３９】
左から２番目の列は、ＢＯＸ番号６１に格納されている情報である。
左から３番目の列は、ＢＯＸ種別６２に格納されている情報である。ここでは、コードデータではなく、機能名で記述してある。
左から４番目の列は、ＢＯＸパスワード６３に格納されている情報である。
左から５番目の列は、画データ６４にファクシミリ符号化データが登録されているか否かを登録済み、または未登録として示している。
【００４０】
図８は、第１の実施例におけるＢＯＸ指定情報とＢＯＸ情報判定結果を示す説明図であり、図７に示した内容が登録されている場合に、ＦＡＸ‐Ｂ５により指定されるＢＯＸ情報の組み合わせによって、ＢＯＸ指定判定部３１により行われた、ＢＯＸ指定情報が正しいか否かを判定した結果を示している。
【００４１】
図８において、左から１番目の列は、ＦＡＸ‐Ｂ５により指定されたＢＯＸ番号を示している。
左から２番目の列は、ＦＡＸ‐Ｂ５により指定されたパスワード情報を示している。
左から３番目の列は、ＢＯＸ指定判定部３１により行われた判定結果を示している。
【００４２】
図９は、第１の実施例におけるＢＯＸ指定正常時のファクシミリ通信のシーケンス図であり、ＦＡＸ‐Ｂ５からＦＡＸ‐Ａ１００に対してＢＯＸ指定およびパスワード指定に対応したポーリング送信要求を行い、通信が成功した場合のシーケンス図である。
図９において、本シーケンスは、ＦＡＸ‐Ｂ５がＦＡＸ‐Ａ１００のＦＡＸ番号「０３‐１１１１‐１１１１」を指定して発信し、発呼トーンの送出を開始する。一方、ＦＡＸ‐Ａ１００は、ＦＡＸ‐Ｂ５からの呼出しに応じて着信した以降を記載している。
【００４３】
なお、本シーケンスでは、ＦＡＸ‐Ａ１００に準備されているＢＯＸ指定およびパスワード指定に対応したポーリング送信用の画データは、１ページとする。
ここで、着信側ファクシミリ装置であるＦＡＸ‐Ａ１００と発信側ファクシミリ装置であるＦＡＸ‐Ｂ５が行う処理を、図９の第１の実施例におけるＢＯＸ指定正常時のファクシミリ通信のシーケンス図の図中Ｃで表す信号にしたがって説明する。
【００４４】
Ｃ０１：ＦＡＸ‐Ａ１００は、着信後、応答トーンとしてＣＥＤ（ＣａｌｌＥＤ）信号Ｃ０１を送出する。
Ｃ０２：続いて、ＦＡＸ‐Ａ１００は、初期識別信号としてＣＳＩ（Ｃａｌｌｅｄ  Ｓｕｂｓｃｒｉｂｅｒ  Ｉｄｅｎｔｉｆｉｃａｔｉｏｎ：被呼端末識別信号）／ＤＩＳ（Ｄｉｇｉｔａｌ  Ｉｎｄｅｘ  Ｓｉｇｎａｌ：ディジタル識別信号）信号Ｃ０２を送出する。
【００４５】
ＣＳＩ信号には、ＦＡＸ‐Ａ１００の電話番号情報が格納されている。
ＤＩＳ信号では、ＦＡＸ‐Ａ１００のファクシミリ能力の宣言が行われる。
このとき、ＦＡＸ‐Ａ１００は、ＢＯＸ指定およびパスワード指定に対応したポーリング送信能力があることを宣言する。
【００４６】
Ｃ０３：ＦＡＸ‐Ｂ５は、ＦＡＸ‐Ａ１００から送られたＣＳＩ／ＤＩＳ信号Ｃ０２の内容を解析し、ＢＯＸ指定およびパスワード指定に対応したポーリング送信を要求することを決定し、ＳＥＰ（ＳＥｌｅｃｔ  Ｐｏｌｌｉｎｇ：選択ポーリング）／ＰＷＤ（ＰａｓｓＷｏｒＤ）／ＣＩＧ（Ｃａｌｌｉｎｇ  ｓＩＧｎａｌ：発呼端末識別信号）／ＤＴＣ（Ｄｉｇｉｔａｌ  Ｔｒａｎｓｍｉｔ  Ｃｏｍｍａｎｄ：ディジタル送信命令）信号Ｃ０３を送出する。
【００４７】
ＳＥＰ信号には、ＢＯＸ指定の番号情報が格納されている。
ＰＷＤ信号には、パスワード指定のパスワード情報が格納されている。
ＣＩＧ信号には、ＦＡＸ‐Ｂ５の電話番号情報が格納されている。
ＤＴＣ信号には、ＦＡＸ‐Ｂ５のファクシミリ受信能力とＢＯＸ指定およびパスワード指定に対応したポーリング送信要求が行われている。
本シーケンスでは、ＳＥＰ信号には、ＢＯＸ番号として「１００」が指定され、ＰＷＤ信号には、パスワードとして「１２３４」が指定される。
【００４８】
Ｃ０４：ＦＡＸ‐Ａ１００は、ＦＡＸ‐Ｂ５から送られたＳＥＰ／ＰＷＤ／ＣＩＧ／ＤＴＣ信号Ｃ０３の内容を解析し、ＢＯＸ指定番号および、パスワード情報の一致を確認した後、ＢＯＸ指定およびパスワード指定に対応したポーリング送信処理を行うため、ＴＳＩ（Ｔｒａｎｓｍｉｔｔｉｎｇ  Ｓｕｂｓｃｒｉｂｅｒ  Ｉｄｅｎｔｉｆｉｃａｔｉｏｎ：送信端末識別）／ＤＣＳ（Ｄｉｇｉｔａｌ  Ｃｏｍｍａｎｄ  Ｓｉｇｎａｌ：ディジタル命令信号）信号Ｃ０４を送出する。
ＴＳＩ信号には、ＦＡＸ‐Ａ１００の電話番号情報が格納されている。
ＤＣＳ信号には、ＢＯＸ指定およびパスワード指定に対応したポーリング送信のための伝送速度情報、解像度情報など各種通信パラメータが指定されている。
【００４９】
Ｃ０５：続いて、ＦＡＸ‐Ａ１００は、ＤＣＳ信号で指定した伝送速度を使ったトレーニング信号であるＴＣＦ（Ｔｒａｉｎｉｎｇ  Ｃｈｅｃｋ：トレーニングチェック）信号Ｃ０５を送出する。
ＦＡＸ‐Ｂ５は、ＦＡＸ‐Ａ１００から送られたＴＳＩ／ＤＣＳ信号Ｃ０４の内容を解析し、ポーリング受信で使用される各種通信パラメータを確認する。また、続いて送られてくるトレーニング信号を受信するための準備を開始する。
【００５０】
Ｃ０６：ＦＡＸ‐Ｂ５は、ＦＡＸ‐Ａ１００から送られたＴＣＦ信号Ｃ０５を正しく受信したことを確認すると、肯定応答信号として、ＣＦＲ（ＣｏｎＦｉｒｍａｔｉｏｎ  ｔｏ  Ｒｅｃｅｉｖｅ：受信準備確認信号）信号Ｃ０６を送出する。
Ｃ０７：ＦＡＸ‐Ａ１００は、ＦＡＸ‐Ｂ５から送られたＣＦＲ信号Ｃ０６を受信するとファクシミリ画データであるＰｉｘデータＣ０７を送出する。
【００５１】
ＰｉｘデータＣ０７は、ＢＯＸ指定およびパスワード指定に対応したポーリング送信用に準備されたファクシミリ符号化データである。
Ｃ０８：ＦＡＸ‐Ａ１００は、ＢＯＸ指定およびパスワード指定に対応したポーリング送信用に準備されたファクシミリ符号化データの送出が完了するとポストコマンド信号として最終ページであることを意味するＥＯＰ（Ｅｎｄ  Ｏｆ  Ｐｒｏｃｅｄｕｒｅ：手順終了信号）信号Ｃ０８を送出する。
【００５２】
ＦＡＸ‐Ｂ５は、ＦＡＸ‐Ａ１００から送られたファクシミリ符号化データを受信すると続いて送られてくるポストコマンド信号の受信を行う。
Ｃ０９：ＦＡＸ‐Ｂ５は、ＦＡＸ‐Ａ１００から送られたＥＯＰ信号Ｃ０８を受信すると最終ページであることを確認し、先に受信したファクシミリ符号化データの受信状態を確認し、正常に受信できていることを確認すると肯定応答であるＭＣＦ（Ｍｅｓｓａｇｅ  ＣｏｎＦｉｒｍａｔｉｏｎ：メッセージ確認信号）信号Ｃ０９を送出する。
【００５３】
Ｃ１０：ＦＡＸ‐Ａ１００は、ＦＡＸ‐Ｂ５から送られたＭＣＦ信号Ｃ０９を受信するとＢＯＸ指定およびパスワード指定に対応したポーリング送信が正常に終了したことを確認し、ファクシミリ呼を開放するため切断命令であるＤＣＮ（ＤｉｓＣｏＮｎｅｃｔ：切断命令信号）信号Ｃ１０を送出し、信号の送出完了を確認した後、回線を開放する。
ＦＡＸ‐Ｂ５は、ＦＡＸ‐Ａ１００から送られたＤＣＮ信号Ｃ１０を受信するとポーリング受信が正常に終了したことを確認し、回線を開放する。
【００５４】
図１０は、第１の実施例におけるＢＯＸ指定誤り時のファクシミリ通信のシーケンス図であり、ＦＡＸ‐Ｂ５からＦＡＸ‐Ａ１００に対してＢＯＸ指定およびパスワード指定に対応したポーリング送信要求を行い、ＢＯＸ指定情報が不一致のため通信が失敗した場合のシーケンス図である。
【００５５】
図１０において、本シーケンスは、ＦＡＸ‐Ｂ５がＦＡＸ‐Ａ１００のＦＡＸ番号「０３‐１１１１‐１１１１」を指定して発信し、発呼トーンの送出を開始する。一方、ＦＡＸ‐Ａ１００は、ＦＡＸ‐Ｂ５からの呼出しに応じて着信した以降を記載している。
図９と同じ部分の説明については省略し、異なる部分について説明する。具体的には、ＳＥＰ／ＰＷＤ／ＣＩＧ／ＤＴＣ信号Ｃ０３およびＰｉｘデータＣ０７が異なり、ここではそれぞれＳＥＰ／ＰＷＤ／ＣＩＧ／ＤＴＣ信号Ｃ２１およびＰｉｘデータＣ２２と入れ替えている。
【００５６】
まずは、ＳＥＰ／ＰＷＤ／ＣＩＧ／ＤＴＣ信号Ｃ２１の説明をする。
ＦＡＸ‐Ｂ５は、ＦＡＸ‐Ａ１００から送られたＣＳＩ／ＤＩＳ信号Ｃ０２の内容を解析し、ＢＯＸ指定およびパスワード指定に対応したポーリング送信を要求することを決定し、ＳＥＰ／ＰＷＤ／ＣＩＧ／ＤＴＣ信号Ｃ２１を送出する。
【００５７】
本シーケンスでは、ＳＥＰ信号には、ＢＯＸ番号として「１０１」が指定され、ＰＷＤ信号には、パスワードとして「１２３４」が指定される。
ＦＡＸ‐Ａ１００は、ＦＡＸ‐Ｂ５から送られたＳＥＰ／ＰＷＤ／ＣＩＧ／ＤＴＣ信号Ｃ２１の内容を解析し、ＢＯＸ指定番号が不一致であるため、ＢＯＸ指定およびパスワード指定に対応したポーリング送信不可と判断し、相手先がエラー原因通知許可宛先であるか否かを判定する。
【００５８】
次に、ＰｉｘデータＣ２２の説明をする。
相手先がエラー原因通知許可宛先である場合は、ＦＡＸ‐Ａ１００は、ＢＯＸ指定情報不一致レポートの送信を実行するため、図９での説明と同様に、ＴＳＩ／ＤＣＳ信号Ｃ０４からＤＣＮ信号Ｃ１０までの通信シーケンスを実行する。ただし、ＰｉｘデータＣ２２では、ＢＯＸ情報不一致レポートファクシミリ符号化データを送信する。
【００５９】
相手先がエラー原因通知許可宛先でない場合は、ＦＡＸ‐Ａ１００は、ＢＯＸ指定情報不一致レポートの送信を不履行とし、ＴＳＩ／ＤＣＳ信号Ｃ０４からＭＣＦ信号Ｃ０９までの通信シーケンスをスキップし、ＤＣＮ信号Ｃ１０を送信し、通信をエラー終了させる。
このとき、ＦＡＸ‐Ｂ５では、通信エラーの理由を確認することができない。
【００６０】
図１１は、第１の実施例におけるＢＯＸ指定情報不一致レポートの構成を示す説明図であり、ＦＡＸ‐Ａ１００において作成されるＢＯＸ指定情報不一致レポートの一例を示している。
図１１において、先頭行には、下線付きの太文字によってレポートのタイトルとして「ＢＯＸ指定情報不一致レポート」と記載する。
【００６１】
次に、ＢＯＸ指定情報不一致と判定した理由を記載する。ここでは、「ＢＯＸ番号不一致」と判定された場合の例文として、「指定されたＢＯＸ番号に該当する掲示板ＢＯＸは存在しません。」および、「ＢＯＸ番号の再確認をお願いします。」の２文を記載している。
【００６２】
さらに、指定されたＢＯＸ番号情報の記載と最後に指定されたパスワード情報の記載を行う。
なお、本レポートでは、エラー原因を通知する情報、指定されたＢＯＸ番号情報ならびに、指定されたパスワード情報の記載は必須とし、それ以外に日時情報および、自機電話番号情報などを記載してよい。
【００６３】
上述した構成の作用について説明する。
ＦＡＸ‐Ｂ５からＢＯＸ指定およびパスワード指定に対応したポーリング送信要求を受けた場合の着信側ファクシミリ装置であるＦＡＸ‐Ａ１００が行う処理を、図１２の第１の実施例における着信側ファクシミリ装置の制御部の処理の流れを示すフローチャートの図中Ｓで表すステップにしたがって、図４および図９を参照しながら説明する。
【００６４】
なお、本フローチャートは、着信側ファクシミリ装置の回線捕捉から通信終了までの処理について記述している。
また、本処理は、図３に示す制御部２０に含まれ、交換機からの呼出信号に応じて回線を捕捉する処理である。
Ｓ１０１：制御部２０は、ＦＡＸ‐Ａ１００が交換機からの呼出し信号に応じて回線を捕捉する処理を行う。
【００６５】
Ｓ１０２：交換機および発信装置に対して、制御部２０は、ＦＡＸ‐Ａ１００が非音声端末であることを示すＣＥＤ信号Ｃ０１を送出する処理を実行する。
Ｓ１０３：制御部２０は、発信装置に対して、ＦＡＸ‐Ａ１００のファクシミリ通信能力を宣言する初期識別信号であるＣＳＩ／ＤＩＳ信号Ｃ０２の作成および、送出に関わる一連の処理を実行する。なお、本処理については図１３において詳細に説明する。
【００６６】
Ｓ１０４：制御部２０は、Ｓ１０３で送出した初期識別信号に対する応答信号の受信に関わる一連の処理を実行する。ここでは、ＳＥＰ／ＰＷＤ／ＣＩＧ／ＤＴＣ信号Ｃ０３を受信する。なお、本処理については図１４において詳細に説明する。
Ｓ１０５：本ステップはＳ１０４の処理の結果を判定するステップであり、制御部２０は、Ｓ１０４において有効なファクシミリ手順信号（ＳＥＰ／ＰＷＤ／ＣＩＧ／ＤＴＣ信号Ｃ０３）を受信したと判定した場合は処理をＳ１０７へ移行し、有効なファクシミリ手順信号を受信できなかったと判定した場合は処理をＳ１０６へ移行する。
【００６７】
Ｓ１０６：Ｓ１０５において有効なファクシミリ手順信号を受信できなかったと判定した制御部２０は、ＩＴＵ‐Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ)勧告Ｔ．３０で規定されているＴ１時間を計測し、結果を判定する。Ｔ１時間を経過していると判定した場合は処理を回線開放処理へ移行し、Ｔ１時間を経過していないと判定した場合は処理をＳ１０３へ移行する。
【００６８】
Ｓ１０７：本ステップはＳ１０４の処理の結果を判定するステップであり、有効なファクシミリ手順信号を受信したと判定した制御部２０は、Ｓ１０４においてＤＴＣ信号を受信したと判定した場合は処理をＳ１０８へ移行し、ＤＴＣ信号を受信しなかったと判定した場合は通常通信処理へ移行し、ＢＯＸ指定およびパスワード指定に対応したポーリング送信ではなく通常ファクシミリ受信を実行する処理を行う。
Ｓ１０８：本ステップはＳ１０４の処理の結果を判定するステップであり、ＤＴＣ信号を受信したと判定した制御部２０は、Ｓ１０４においてＳＥＰ信号を受信したと判定した場合は処理をＳ１０９へ移行し、ＳＥＰ信号を受信しなかったと判定した場合は処理をＳ１１１へ移行する。
【００６９】
Ｓ１０９：図３に示すＢＯＸ指定判定部３１は、Ｓ１０４においてＦＡＸ‐Ｂ５からのＢＯＸ指定情報として通信ジョブ情報４０に格納された指定ＢＯＸ番号４４および指定パスワード４５と予め設定されている図６に示すＢＯＸ登録情報６０の内容を比較し、判定する。例えば、ＢＯＸ登録情報６０の設定内容が図７に示される状態の場合に、図８で示したＢＯＸ指定情報がＦＡＸ‐Ｂ５から送られてきた場合の判定結果は図８で示したものとなる。
【００７０】
ここでの判定結果は、通信ジョブ情報４０のＢＯＸ不一致情報４６に格納される。
ＢＯＸ指定判定部３１は、ＢＯＸ不一致情報４６に格納された値が一致と判定した場合は処理をＳ１１０へ移行し、ＢＯＸ不一致情報４６に格納された値が一致していないと判定した場合は処理をＳ１１１へ移行する。
Ｓ１１０：ＦＡＸ‐Ｂ５により指示されたＢＯＸ番号指定および、パスワード指定に対応したポーリング送信の実行が可能と判断された場合、図９のＴＳＩ／ＤＣＳ信号Ｃ０４送出以降の通信シーケンスを実行する一連の処理を実行する。
本ステップにおいて通信が終了し、回線開放までを実行し、本処理を終了する。
【００７１】
Ｓ１１１：Ｓ１０８の判定結果がＳＥＰ信号を受信しなかったと判定した場合または、ＢＯＸ不一致情報４６に格納された値が一致していないと判定した場合、エラー原因通知許可判定部３２は、Ｓ１０４において通信ジョブ情報４０の相手先電話番号に格納された電話番号情報と予め設定されている図５に示すエラー原因通知許可宛先情報５０に格納されている電話番号情報とを比較し、一致するものが存在するか否かを判定する。一致する電話番号情報が存在すると判定した場合は処理をＳ１１２へ移行し、一致する電話番号情報が存在しないと判定した場合は処理を回線開放処理へ移行する。
回線開放処理では、切断信号である図１０のＤＣＮ信号Ｃ１０を送出し、回線の開放処理を実行する。
【００７２】
Ｓ１１２：ＢＯＸ不一致レポート作成部３３は、図４に示す通信ジョブ情報４０に格納されているＢＯＸ不一致情報４６と、指定ＢＯＸ番号４４と、指定パスワード４５とを参照して図１１に示すレポート情報を作成し、画像データ処理部２５を使用して、ファクシミリ符号化データを生成する処理を実行する。
Ｓ１１３：制御部２０は、Ｓ１１２において生成されたファクシミリ符号化データの送信に関わる一連の処理を実行する。図９のＰｉｘデータＣ０７において、ＢＯＸ指定およびパスワード指定に対応したポーリング送信データの代わりに、Ｓ１１２で生成されたファクシミリ符号化データが送信されること以外は、図９のＴＳＩ／ＤＣＳ信号Ｃ０４以降の通信シーケンスが実行され、本処理を終了する。
【００７３】
次に、制御部２０が行うＳ１０３の処理を、図１３の第１の実施例における着信側ファクシミリ装置の初期識別信号送出の処理の流れを示すフローチャートの図中Ｓで表すステップにしたがって、図９を参照しながら詳細に説明する。
Ｓ１２１：制御部２０は、ＦＡＸ‐Ａ１００に予め設定されている自機電話番号情報を取得し、ＩＴＵ‐Ｔ勧告Ｔ．３０において規定されている被呼端末識別ＣＳＩ信号を作成する処理を実行する。
【００７４】
Ｓ１２２：制御部２０は、ＩＴＵ‐Ｔ勧告Ｔ．３０において規定されているディジタル識別信号ＤＩＳ信号を作成するための処理であり、自機の受信能力に関する設定を行う。例えば、解像度能力、符号化能力、伝送速度能力、および記録幅能力などの宣言を行うためのビット列を作成する。
【００７５】
Ｓ１２３：制御部２０は、ＩＴＵ‐Ｔ勧告Ｔ．３０において規定されているディジタル識別信号ＤＩＳ信号を作成するための処理であり、ＢＯＸ指定およびパスワード指定に対応したポーリング送信能力に関する設定を行う。例えば、ポーリング送信能力、選択ポーリング能力（ＳＥＰ信号対応）および、パスワード能力（ＰＷＤ信号対応）を宣言するためのビット列を作成する。
Ｓ１２４：制御部２０は、Ｓ１２１からＳ１２３の処理において作成したＣＳＩ信号および、ＤＩＳ信号の送出に関わる一連の処理を実行する。本処理において、図９のＣＳＩ／ＤＩＳ信号Ｃ０２が送出される。本処理終了後、本フローチャートの処理を終了する。
【００７６】
次に、制御部２０が行うＳ１０４の処理を、図１４の第１の実施例における着信側ファクシミリ装置の応答受信の処理の流れを示すフローチャートの図中Ｓで表すステップにしたがって、図９を参照しながら詳細に説明する。
Ｓ１３１：制御部２０は、ＩＴＵ‐Ｔ勧告Ｔ．３０において規定されているＴ４時間を計測し、結果を判定する。Ｔ４時間を経過していると判定した場合は有効なファクシミリ手順信号を未受信の状態で本フローチャートの処理を終了し、Ｔ４時間を経過していないと判定した場合は処理をＳ１３２に移行する。
【００７７】
Ｓ１３２：Ｔ４時間を経過していないと判定した制御部２０は、有効なファクシミリ手順信号の受信が完了しているか否かを判定する。有効なファクシミリ手順信号の受信が完了していると判定した場合は処理をＳ１３３へ移行し、有効なファクシミリ手順信号の受信が完了していないと判定した場合はＳ１３１からの処理を繰り返す。
Ｓ１３３：有効なファクシミリ手順信号の受信が完了していると判定した制御部２０は、受信したファクシミリ手順信号の中に選択ポーリングＳＥＰ信号が含まれているか否かを判定する。ＳＥＰ信号が含まれていると判定した場合は処理をＳ１３４へ移行し、ＳＥＰ信号が含まれていないと判定した場合は処理をＳ１３５へ移行する。
【００７８】
Ｓ１３４：ＳＥＰ信号が含まれていると判定した制御部２０は、ＳＥＰ信号に含まれるＢＯＸ指定情報を取得し、図４に示す通信ジョブ情報４０の指定ＢＯＸ番号４４へ格納し、ＳＥＰ信号受信済み情報を設定する処理を実行する。
Ｓ１３５：制御部２０は、受信したファクシミリ手順信号の中にパスワードＰＷＤ信号が含まれているか否かを判定する。ＰＷＤ信号が含まれていると判定した場合は処理をＳ１３６へ移行し、ＰＷＤ信号が含まれていないと判定した場合は処理をＳ１３７へ移行する。
【００７９】
Ｓ１３６：制御部２０は、ＰＷＤ信号に含まれるパスワード情報を取得し、通信ジョブ情報４０の指定パスワード４５へ格納する処理を実行する。
Ｓ１３７：制御部２０は、受信したファクシミリ手順信号の中に発呼端末識別ＣＩＧ信号が含まれているか否かを判定する。ＣＩＧ信号が含まれていると判定した場合は処理をＳ１３８へ移行し、ＣＩＧ信号が含まれていないと判定した場合は処理をＳ１３９へ移行する。
【００８０】
Ｓ１３８：相手機情報取得部３０は、ＣＩＧ信号に含まれる発呼端末の電話番号情報を取得し、図４に示す通信ジョブ情報４０の相手先電話番号４３へ格納する処理を実行する。
Ｓ１３９：制御部２０は、受信したファクシミリ手順信号の中にディジタル送信命令ＤＴＣ信号が含まれているか否かを判定する。ＤＴＣ信号が含まれていると判定した場合はＳ１４０へ移行し、ＤＴＣ信号が含まれていないと判定した場合は本フローチャートの処理を終了する。
【００８１】
Ｓ１４０：ＤＴＣ信号で宣言された能力を取得し、ＤＴＣ信号受信済み情報を設定する処理を実行する。本処理終了後、本フローチャートの処理を終了する。
なお、本実施例では、相手宛先情報の取得に通信制御手順信号としてのファクシミリ制御手順で通知される情報から取得しているが、回線事業者が行っている発信者番号通知から取得する方法も考えられる。
【００８２】
このように、発信側ユーザによるＢＯＸ指定情報の入力に誤りがあったときに、ＢＯＸ指定情報不一致レポートを作成し、発信側ファクシミリ装置に対してファクシミリ送信データとして送信を行うため、発信側ユーザによる入力誤りであることが容易に確認できる。
また、通信エラー時の詳細な情報通知を必要としない発信側装置の判定を行い、上述の情報通知を不要とする場合は、ＢＯＸ指定情報不一致レポートの送信を不履行とし、発信側装置に対して、不要な情報送信のための通信費の負担を強いることがない。
【００８３】
以上説明したように、第１の実施例では、ＢＯＸ指定およびパスワード指定に対応したポーリング通信が可能なファクシミリ通信システムにおいて、ＢＯＸ指定またはパスワード指定のうち、少なくともいずれか一方に誤りが発生して通信エラーが発生したとき、通信相手に対して、エラー原因情報、指定されたＢＯＸ指定情報、および指定されたパスワードを通知することができるため、通知したエラー情報を印刷、または表示装置へ表示することで通信エラーの原因の特定を容易にすることができるという効果が得られる。
【実施例２】
【００８４】
図１５は、第２の実施例におけるファクシミリ装置の制御部の構成を示すブロック図であり、ＦＡＸ‐Ａ１００の制御部２０の構成図である。
なお、上述した第１の実施例と同様の部分は、同一の符号を付してその説明を省略する。
【００８５】
図１５において、制御部２０は、図２に示すＲＯＭ１２に含まれ、ＣＰＵ１０によって実行されるソフトウェアであり、システム制御部２１と、操作表示制御部２２と、読取制御部２３と、印刷制御部２４と、画像データ処理部２５と、通信制御部２６と、通信ジョブ管理部２７と、レポート作成部２８と、ＢＯＸ情報管理部２９と、相手機情報取得部３０と、ＢＯＸ指定判定部３１と、エラー原因送信許可判定部３２と、ＢＯＸ不一致レポート作成部３３と、後述するエラー原因通知能力部３４およびＢＯＸ不一致情報表示部３５とを動作させるためのソフトウェアを含む。
【００８６】
ＢＯＸ不一致レポート作成部３３は、第１の実施例の機能に加えて、エラー原因通知能力部３４の処理の結果、通知されたエラー原因を図１８に示す通信管理レポートの理由欄へ記載する処理を実行する。つまり、ＢＯＸ不一致レポート作成部３３は、エラー原因、指定された情報格納部識別情報および、指定された認証情報を特定可能な通信制御手順信号の付加情報として生成する。通信制御部２６は、エラー情報を通信制御手順信号の付加情報として送信する。
【００８７】
エラー原因通知能力部３４は、通信制御部２６に呼び出され、ファクシミリ制御手段において行われるファクシミリ能力交換では、着信側装置の場合は、エラー原因通知能力の宣言を追加する。発信側装置の場合は、着信側のエラー原因通知能力の宣言に従い、エラー原因通知能力指示を追加する。
つまり、エラー原因通知能力部３４は、ファクシミリ通信手順による送発信のファクシミリ装置間で互いに能力の宣言を行うファクシミリ能力交換で、エラー原因通知能力の交換を行うエラー原因通知能力交換手段である。
【００８８】
ここで、追加する能力宣言および、能力指示について、本実施例では、ＩＴＵ‐Ｔ勧告Ｔ．３０で規定されているディジタル識別信号ＤＩＳ信号、ディジタル送信命令ＤＴＣ信号および、ディジタル命令信号ＤＣＳ信号の未使用ビットを割り当てることで実現する。例えば、ビット５１に割り当てる。
また、別の実現方法として、ＩＴＵ‐Ｔ勧告Ｔ．３０で規定されているオプション機能である非標準機能ＮＳＦ（Ｎｏｎ  Ｓｔａｎｄａｒｄ  Ｆａｃｉｌｉｔｉｅｓ）信号、非標準機能ＮＳＳ（Ｎｏｎ  Ｓｔａｎｄａｒｄ  Ｓｉｇｎａｌ）信号において独自の能力宣言および、能力指示を行ってもよい。
【００８９】
図１９は、第２の実施例における発信側ファクシミリ装置の応答受信の処理の流れを示すフローチャートであり、エラー原因の通知方法として、本実施例では、図１９に示した切断命令ＤＣＮ信号に情報フィールドを追加することで実現する。
また、別の実現方法としては、新たな信号を定義して通知してもよい。
【００９０】
ＢＯＸ不一致情報表示部３５は、ファクシミリ制御手順によって行われるファクシミリ能力交換においてエラー原因通知能力の使用が可能であると確認された場合に、切断命令ＤＣＮ信号に付加される情報を参照し、ＢＯＸ指定およびパスワード指定に対応したポーリング送信依頼時に指定したＢＯＸ番号、およびパスワード情報を表示操作部１７の表示装置へ一定時間表示を行う。
【００９１】
したがって、エラー情報記載手段としてのＢＯＸ不一致情報表示部３５は、通信制御部２６によって通信制御手順信号の付加情報として送信されたエラー情報を通信管理報告へ記載するものである。
また、エラー情報表示手段としての表示操作部１７は、通信制御部２６によって通信制御手順信号の付加情報として送信されたエラー情報を表示装置へ表示する。
なお、本実施例では、通信結果を表示する３秒間表示するものとする。
【００９２】
図１６は、第２の実施例におけるＢＯＸ指定誤り時のファクシミリ通信のシーケンス図であり、ＦＡＸ‐Ｂ５からＦＡＸ‐Ａ１００に対してＢＯＸ指定およびパスワード指定に対応したポーリング送信要求を行い、ＢＯＸ指定情報が不一致のため通信が失敗した場合のシーケンス図である。
図１６において、本シーケンスは、ＦＡＸ‐Ｂ５がＦＡＸ‐Ａ１００のＦＡＸ番号「０３‐１１１１‐１１１１」を指定して発信し、発呼トーンの送出を開始する。一方、ＦＡＸ‐Ａ１００は、ＦＡＸ‐Ｂ５からの呼出しに応じて着信した以降を記載している。
なお、Ｃ０１については、図９における第１の実施例と同様であるため省略する。
【００９３】
Ｃ３１：ＦＡＸ‐Ａ１００は、初期識別信号としてＣＳＩ／ＤＩＳ信号Ｃ３１を送出する。ＣＳＩ信号には、ＦＡＸ‐Ａ１００の電話番号情報が格納されている。ＤＩＳ信号では、ＦＡＸ‐Ａ１００のファクシミリ能力の宣言が行われる。
このとき、ＦＡＸ‐Ａ１００は、ＢＯＸ指定およびパスワード指定に対応したポーリング送信能力があることを宣言する。さらに、本実施例によれば、エラー原因通知能力宣言を行うためディジタル識別信号ＤＩＳ信号のビット５１を“１”に設定する。
【００９４】
Ｃ３２：ＦＡＸ‐Ｂ５は、ＦＡＸ‐Ａ１００から送られたＣＳＩ／ＤＩＳ信号Ｃ３１の内容を解析し、ＢＯＸ指定およびパスワード指定に対応したポーリング送信を要求することを決定し、ＳＥＰ／ＰＷＤ／ＣＩＧ／ＤＴＣ信号Ｃ３２を送出する。
このとき、本実施例によれば、エラー原因通知能力宣言のためディジタル送信命令ＤＴＣ信号のビット５１を“１”に設定する。本シーケンスでは、ＳＥＰ信号には、ＢＯＸ番号として「１０１」が指定され、ＰＷＤ信号には、パスワードとして「１２３４」が指定される。
【００９５】
Ｃ３３：ＦＡＸ‐Ａ１００は、ＦＡＸ‐Ｂ５から送られたＳＥＰ／ＰＷＤ／ＣＩＧ／ＤＴＣ信号Ｃ３２の内容を解析し、ＢＯＸ指定番号が不一致であるため、ＢＯＸ指定およびパスワード指定に対応したポーリング送信不可と判断し、通信をエラー終了させる。そのため、ＦＡＸ‐Ａ１００は、切断命令であるＤＣＮ信号Ｃ３３を送出し、信号の送出完了を確認した後、回線を開放する。このとき、本実施例によれば、ＦＡＸ‐Ａ１００は、ＤＣＮ信号に情報フィールドを追加し、エラー原因を特定する。
【００９６】
図１７は、第２の実施例における表示装置へのＢＯＸ不一致情報表示を示す説明図であり、ＦＡＸ‐Ａ１００における表示操作部１７へ表示される画面の一例を示している。
図１７において、表示画面の最上段は、通信結果として正常終了（ＯＫ）、もしくはエラー終了（ＮＧ）の情報、およびＮＧの場合のエラーコード情報を表示する。続いて、ＮＧ原因を表示する。さらにユーザによりＢＯＸ番号指定およびパスワード指定に対応したポーリング送信を指示する際に指定されたＢＯＸ番号およびパスワード情報を表示する。
【００９７】
図１８は、第２の実施例における通信管理レポートへのＢＯＸ不一致情報表示を示す説明図であり、ＦＡＸ‐Ａ１００において作成される通信管理レポートの一例を示している。
図１８において、通信管理レポート８０の先頭行には、下線付きの太文字によってレポートのタイトルとして「通信管理レポート」と記載する。
【００９８】
次に、通信結果情報のカテゴリを示すラベル行を記載する。例では、左から順に、通信管理レポート上の管理番号を示す「Ｎｏ．」と、送信あるいは受信のどちらが実行されたかを示す「送／受」と、通信相手先の情報を示す「相手先」と、通信で使用した画質モードを示す「画質モード」と、通信開始日時を示す「開始日時」と、通信に要した時間を示す「時間」と、通信において送受信された原稿枚数を示す「枚数」と、どのような通信が行われたかを示す「通信種類」と、通信結果を示す「結果」と、通信エラー時のエラー原因を示す「理由」とを表示するものとする。
なお、上記以外の情報が表示されてもよい。
【００９９】
続いて、上述したラベル定義に沿って通信結果情報を記載する。
本実施例において、ＢＯＸ番号不一致が発生した場合の通信結果の例として、図１８の管理番号“０２”に記載したように、通信種類として「ポーリング受信」、結果として「ＮＧ」、ならびに理由として「ＢＯＸ指定誤り」と表示する。
【０１００】
図１９は、第２の実施例における切断命令信号への情報フィールド追加の例を示す説明図であり、ＩＴＵ‐Ｔ勧告Ｔ．３０で規定されているバイナリ符号信号方式の信号を示すフォーマット図である。
図１９において、バイナリ符号信号方式では、周知のＨＤＬＣ（Ｈｉｇｈ  ｌｅｖｅｌ  Ｄａｔａ  Ｌｉｎｋ  Ｃｏｎｔｒｏｌ  ｐｒｏｃｅｄｕｒｅ）フレームを用いて、そのインフォメーションフィールドの先頭バイトをファクシミリコントロールフィールド（以下、ＦＣＦという）として、ファクシミリ通信手順で使用される信号を識別するための情報として用いる。
【０１０１】
インフォメーションフィールドの２バイト目以降をファクシミリインフォメーションフィールド（以下、ＦＩＦという）として、ファクシミリ通信手順で使用される各種信号の情報フィールドとして用いる。
ＦＩＦは、ファクシミリ通信手順で使用される特有の信号のみが持つフィールドである。本実施例では、切断命令ＤＣＮ信号に、ＦＩＦを持たせることで、エラー原因の通知を可能とする。
【０１０２】
切断命令ＤＣＮ信号に付加する情報として本実施例では、以下のように定義する。
ＦＩＦ１バイト目：通信結果情報をＯＫ／ＮＧで設定する。通信が正常に終了した場合には、ＯＫを示す「００」（１６進数）が設定される。通信が失敗した場合には、ＮＧを示す「０１」（１６進数）が設定される。
ＦＩＦ２バイト目：通信種別情報を示す値を設定する。通常通信の場合は、「００」（１６進数）が設定される。親展通信の場合は、「０１」（１６進数）が設定される。ポーリング通信の場合は、「０２」（１６進数）が設定される。
【０１０３】
ＦＩＦ３バイト目：エラー原因を特定する情報を示す値を設定する。以下は、ポーリング通信時の設定値の一例とする。ＢＯＸ指定情報が一致した場合は、「００」（１６進数）が設定される。ＢＯＸ指定情報が不一致の場合は、「０１」（１６進数）が設定される。登録データが存在しない場合は、「０２」（１６進数）が設定される。
上記の例に従うと、図１６におけるＤＣＮ信号Ｃ３３は、ＦＩＦに先頭から順番に「０１」（１６進数）、「０２」（１６進数）、「０１」（１６進数）と設定された信号が送出される。
【０１０４】
上述した構成の作用について説明する。
ＦＡＸ‐Ｂ５からＢＯＸ指定およびパスワード指定に対応したポーリング送信要求を受けた場合の着信側ファクシミリ装置であるＦＡＸ‐Ａ１００の動作の処理を、図２０の第２の実施例における着信側ファクシミリ装置の制御部の処理の流れを示すフローチャートの図中Ｓで表すステップにしたがって詳細に説明する。
なお、図１２において上述した第１の実施例と同様の部分は、同一の符号を付してその説明を省略する。
本フローチャートは、着信側ファクシミリ装置の回線捕捉から通信終了までの処理について説明する。
【０１０５】
本処理は、制御部２０に含まれ、交換機からの呼出し信号を検出し、着信処理を開始する際に実行される。
Ｓ２０１：エラー原因通知許可判定部３２が一致する電話番号情報が存在すると判定した場合、エラー原因通知能力部３４は、本実施例において追加されたエラー原因通知能力の使用が可能か否かを判定する。エラー原因通知能力の使用が可能と判定した場合は、処理をＳ２０２に移行し、エラー原因通知能力の使用が不可能と判定した場合は、処理をＳ１１２に移行する。
【０１０６】
Ｓ２０２：エラー原因通知能力部３４がエラー原因通知能力の使用が可能と判定した場合、制御部２０は、通信ジョブ情報４０の通信種別４１、通信結果情報４２および、ＢＯＸ不一致情報４６を参照して切断命令ＤＣＮ信号を作成する処理を実行する。
本実施例では、通信結果情報４２を参照して情報フィールドの１バイト目に「０１」（１６進数）が設定され、通信種別４１を参照して情報フィールドの２バイト目に「０２」（１６進数）が設定され、ＢＯＸ不一致情報４６を参照して情報フィールドの３バイト目に「０１」（１６進数）が設定される。
【０１０７】
Ｓ２０３：制御部２０は、Ｓ２０２で作成された切断命令ＤＣＮ信号を送出に関わる一連の処理を実行し、切断命令ＤＣＮ信号の送出が終了したことを確認すると本処理を終了する。
Ｓ２０４：制御部２０は、回線開放処理に関わる一連の処理を実行する。本処理は、回線開放を確認すると終了する。本処理の終了で本フローチャートの処理は終了する。
【０１０８】
図２１は、第２の実施例における着信側ファクシミリ装置の初期識別信号送出の処理の流れを示すフローチャートであり、図２０のＳ１０３の処理を詳細に説明したフローチャートである。
図２１においては、図１３のＳ１２３とＳ１２４の間にＳ２２１を入れ込んだフローチャートであるため、Ｓ２２１のみを説明し、上述した第１の実施例と同様の部分は、同一の符号を付してその説明を省略する。
【０１０９】
Ｓ２２１：Ｓ１２３においてポーリング送信能力、選択ポーリング能力（ＳＥＰ信号対応）および、パスワード能力（ＰＷＤ信号対応）を宣言するためのビット列を作成した制御部２０は、本実施例で追加されたエラー原因通知能力の宣言を設定する。具体的には、ディジタル識別信号ＤＩＳ信号のビット５１を“１”に設定する処理を実行する。
【０１１０】
次に、ＦＡＸ‐Ｂ５からＢＯＸ指定およびパスワード指定に対応したポーリング送信要求を受けた場合の発信側ファクシミリ装置であるＦＡＸ‐Ｂ５の動作の処理を、図２２の第２の実施例における発信側ファクシミリ装置の制御部の処理の流れを示すフローチャートの図中Ｓで表すステップにしたがって図９および図２０を参照しながら詳細に説明する。
本処理は、制御部２０に含まれ、操作表示装置１７を介して、ユーザの操作により指示されたＢＯＸ番号指定および、パスワード指定に対応したポーリング送信要求の処理を開始する際に実行される。
【０１１１】
Ｓ３０１：ＦＡＸ‐Ｂ５がＦＡＸ‐Ａ１００へのＢＯＸ番号指定および、パスワード指定に対応したポーリング送信要求を行うための呼接続処理を実行する。まず、回線を捕捉し、続いてユーザの操作により指定された相手先電話番号が格納されている図４に示す通信ジョブ情報４０の相手先電話番号４３を参照して発信処理を実行する。
Ｓ３０２：Ｓ３０１が終了した場合または、後述するＳ３０５においてＴ１時間を経過していないと判定した場合、ＦＡＸ‐Ｂ５は、発呼トーンＣＮＧ信号を送出する。ＣＮＧ信号は、着信側装置から送られてくる応答トーンを検出した場合または、有効なファクシミリ手順信号を検出するまで送出を繰り返す。
【０１１２】
Ｓ３０３：ＦＡＸ‐Ｂ５は、着信側装置が送出するファクシミリ手順信号の受信に関わる一連の処理を実行する。ここでは、ＣＳＩ／ＤＩＳ信号Ｃ０２を受信する。なお、本処理については図２３において詳細に説明する。
Ｓ３０４：ＦＡＸ‐Ｂ５は、Ｓ３０３において有効なファクシミリ手順信号を受信したと判定した場合は処理をＳ３０６に移行し、有効なファクシミリ手順信号を受信できなかったと判定した場合は処理をＳ３０５に移行する。
【０１１３】
Ｓ３０５：ＦＡＸ‐Ｂ５は、ＩＴＵ‐Ｔ勧告Ｔ．３０で規定されているＴ１時間を計測し、結果を判定する。Ｔ１時間を経過していると判定した場合は処理を回線開放処理へ移行し、Ｔ１時間を経過していないと判定した場合は処理をＳ３０２へ移行する。
Ｓ３０６：本ステップはＳ３０３の処理の結果を判定するステップであり、ＦＡＸ‐Ｂ５は、Ｓ３０４においてＤＩＳ信号を受信し、その能力宣言において、ＢＯＸ指定およびパスワード指定に対応したポーリング送信能力があると宣言されたと判定された場合は処理をＳ３０７へ移行し、ＢＯＸ指定およびパスワード指定に対応したポーリング送信能力がないと宣言されたと判定された場合は処理を回線開放処理へ移行する。
【０１１４】
Ｓ３０７：ＦＡＸ‐Ｂ５は、着信装置であるＦＡＸ‐Ａ１００に対して、ＢＯＸ指定およびパスワード指定に対応したポーリング送信要求を示すＳＥＰ／ＰＷＤ／ＣＩＧ／ＤＴＣ信号Ｃ０３の作成および送出に関わる一連の処理を実行する。
また、ＦＡＸ‐Ｂ５は、本実施例において追加されたエラー原因通知能力の宣言を行う。具体的には、ディジタル送信命令ＤＴＣ信号のビット５１を“１”に設定する。
【０１１５】
Ｓ３０８：ＦＡＸ‐Ｂ５は、Ｓ３０７で送出したＳＥＰ／ＰＷＤ／ＣＩＧ／ＤＴＣ信号Ｃ０３に対する応答信号の受信に関わる一連の処理を実行する。ここでは、ＴＳＩ／ＤＣＳ信号Ｃ０４を受信する。なお、本処理については図２４において詳細に説明する。
Ｓ３０９：本ステップはＳ３０８の処理の結果を判断するステップであり、ＦＡＸ‐Ｂ５は、Ｓ３０８においてＤＣＳ信号を受信したと判定した場合はＳ３１０へ移行し、ＤＣＳ信号を受信できなかったと判定した場合はＳ３１１へ移行する。
【０１１６】
Ｓ３１０：ユーザにより指示されたＢＯＸ番号指定および、パスワード指定に対応したポーリング送信の実行が可能とＦＡＸ‐Ａ１００において判定された場合の処理であり、ＴＳＩ／ＤＣＳ信号Ｃ０４受信以降の通信シーケンスを実行に関わる一連の処理を実行する。本ステップにおいて通信が終了し、回線開放までを実行する。
Ｓ３１１：Ｓ３０８の処理の結果を判断するステップであり、Ｓ３０８において切断命令ＤＣＮ信号を受信したと判定した場合はＳ３１２へ移行し、切断命令ＤＣＮ信号を受信しなかったと判定した場合はＳ３０７からの処理を繰り返す。
【０１１７】
Ｓ３１２：Ｓ３０８において切断命令ＤＣＮ信号に付加された情報を格納済みの通信ジョブ情報４０のＢＯＸ不一致情報４６と指定ＢＯＸ番号４４および、指定パスワード４５を参照し、表示操作部１７へ通信結果を３秒間表示する処理を実行する。このとき図１７に示す表示例が表示される。また、本表示を行っている間に、通信ジョブ情報４０に格納されている通信結果情報を通信管理レポート情報として保持する処理を実行する。これにより、表示操作部１７を介して、ユーザにより通信管理レポートの印刷指示が行われた場合の出力結果は、図１８に示すものとなる。
【０１１８】
次に、発信側ファクシミリ装置であるＦＡＸ‐Ｂ５の図２２におけるＳ３０３の処理を、図２３の第２の実施例における発信側ファクシミリ装置の命令受信の処理の流れを示すフローチャートの図中Ｓで表すステップにしたがって詳細に説明する。
Ｓ３３１：ＦＡＸ‐Ｂ５は、ＩＴＵ‐Ｔ勧告Ｔ．３０で規定されている命令信号受信待ち時間３秒を計測し、結果を判定する。３秒を経過していると判定した場合は有効なファクシミリ手順信号を未受信の状態で本フローチャートの処理を終了し、３秒を経過していない場合は処理をＳ３３２に移行する。
【０１１９】
Ｓ３３２：ＦＡＸ‐Ｂ５は、有効なファクシミリ手順信号の受信が完了しているか否かを判定する。有効なファクシミリ手順信号の受信が完了した場合は処理をＳ３３３へ移行し、有効なファクシミリ手順信号の受信が完了していない場合はＳ３３１からの処理を繰り返す。
【０１２０】
Ｓ３３３：ＦＡＸ‐Ｂ５は、受信したファクシミリ手順信号の中に被呼端末識別ＣＳＩ信号が含まれているか否かを判定する。ＣＳＩ信号が含まれていると判定した場合は処理をＳ３３４へ移行し、ＣＳＩ信号が含まれていないと判定した場合は処理をＳ３３５へ移行する。
Ｓ３３４：相手機情報取得部３０は、ＣＳＩ信号に含まれる着呼端末の電話番号情報を取得し、通信ジョブ情報４０の相手先電話番号４３へ格納する処理を実行する。
【０１２１】
Ｓ３３５：ＦＡＸ‐Ｂ５は、受信したファクシミリ手順信号の中にディジタル識別信号ＤＩＳ信号が含まれているか否かを判定する。ＤＩＳ信号が含まれていると判定した場合は処理をＳ３３６へ移行し、ＤＩＳ信号が含まれていないと判定した場合は本フローチャートの処理を終了する。
Ｓ３３６：ＦＡＸ‐Ｂ５は、ＤＩＳ信号で宣言された能力を取得し、ＤＩＳ信号受信済み情報を設定する処理を実行する。本処理終了後、本フローチャートの処理を終了する。
【０１２２】
次に、発信側ファクシミリ装置であるＦＡＸ‐Ｂ５の図２２におけるＳ３０８の処理を、図２４の第２の実施例における発信側ファクシミリ装置の命令受信の処理の流れを示すフローチャートの図中Ｓで表すステップにしたがって詳細に説明する。
Ｓ３４１：ＦＡＸ‐Ｂ５は、ＩＴＵ‐Ｔ勧告Ｔ．３０で規定されているＴ４時間を計測し、結果を判定する。Ｔ４時間を経過していると判定した場合は有効なファクシミリ手順信号を未受信の状態で本フローチャートの処理を終了し、Ｔ４時間を経過していないと判定した場合は処理をＳ３４２へ移行する。
【０１２３】
Ｓ３４２：ＦＡＸ‐Ｂ５は、有効なファクシミリ手順信号の受信が完了しているか否かを判定する。有効なファクシミリ手順信号の受信が完了している場合は処理をＳ３４３へ移行し、有効なファクシミリ手順信号の受信が完了していない場合はＳ３４１からの処理を繰り返す。
Ｓ３４３：ＦＡＸ‐Ｂ５は、受信したファクシミリ手順信号の中に送信端末識別ＴＳＩ信号が含まれているか否かを判定する。ＴＳＩ信号が含まれている場合は処理をＳ３４４へ移行し、ＴＳＩ信号が含まれていない場合は処理をＳ３４５へ移行する。
【０１２４】
Ｓ３４４：相手機情報取得部３０は、ＴＳＩ信号に含まれる送信端末の電話番号情報を取得し、通信ジョブ情報４０の指定ＢＯＸ番号４４へ格納する処理を実行する。
Ｓ３４５：ＦＡＸ‐Ｂ５は、受信したファクシミリ手順信号の中にディジタル命令信号ＤＣＳ信号が含まれているか否かを判定する。ＤＣＳ信号が含まれていると判定した場合は処理をＳ３４６に移行し、ＤＣＳ信号が含まれていないと判定した場合は処理をＳ３４７に移行する。
【０１２５】
Ｓ３４６：ＦＡＸ‐Ｂ５は、ＤＣＳ信号で指定された通信能力を取得し、ＤＣＳ信号受信済み情報を設定する処理を実行する。
Ｓ３４７：ＦＡＸ‐Ｂ５は、受信したファクシミリ手順信号の中にディジタル識別信号ＤＩＳ信号が含まれているか否かを判定する。ＤＩＳ信号が含まれていると判定した場合は処理をＳ３４８へ移行し、ＤＩＳ信号が含まれていないと判定した場合は処理をＳ３４９へ移行する。
【０１２６】
Ｓ３４８：ＦＡＸ‐Ｂ５は、ＤＩＳ信号で宣言された能力を取得し、ＤＩＳ信号受信済み情報を設定する処理を実行する。
Ｓ３４９：ＦＡＸ‐Ｂ５は、受信したファクシミリ手順信号の中に切断命令ＤＣＮ信号が含まれているか否かを判定する。ＤＣＮ信号が含まれていると判定した場合は処理をＳ３５０へ移行し、ＤＣＮ信号が含まれていないと判定した場合は本フローチャートの処理を終了する。
【０１２７】
Ｓ３５０：ＤＣＮ信号に付加されたエラー原因情報を取得し、通信ジョブ情報４０のＢＯＸ不一致情報４６へエラー原因情報を格納する。また、ＤＣＮ信号受信済み情報を設定する処理を実行する。本処理終了後、本フローチャートの処理を終了する。
本実施例では、エラー情報通知能力の能力交換手段をファクシミリ制御手段において行っているが、ファクシミリ制御手段開始前にＤＴＭＦ（Ｄｕａｌ  Ｔｏｎｅ  Ｍｕｌｔｉｐｌｅ  Ｆｒｅｑｕｅｎｃｙ）信号により能力交換を行う方法も考えられる。
【０１２８】
このように、発信側ユーザによるＢＯＸ指定情報の入力に誤りがあった場合に、ファクシミリ制御手順で行われるファクシミリ能力交換において、エラー原因通知能力を交換し、その結果にしたがって、切断命令ＤＣＮ信号にエラー原因情報を付加して通知し、さらに通知されたエラー原因情報を参照して、通信結果を表示装置に一定時間表示することで、着信側からのＢＯＸ指定情報不一致レポートを受信することなく、発信側ユーザによる入力誤りが容易に確認できる。
また、切断命令ＤＣＮ信号に付加されたエラー原因情報を通信管理レポートに記載することで、表示装置でのエラー情報を確認できない場合でも通信管理レポートを出力することを確認することができる。
【０１２９】
以上説明したように、第２の実施例では、ファクシミリ制御手順で行われるファクシミリ能力交換で、エラー原因通知能力を交換することができるため、切断命令ＤＣＮ信号にエラー原因情報を付加し、エラー原因情報を表示装置に一定時間表示することで、通信エラーの原因の特定を容易にすることができるという効果が得られる。
なお、第１、第２の実施例では、エラー原因情報の確認方法をファクシミリ装置に適用した例を説明したが、コピー機能、スキャナ機能、プリンタ機能のうちいずれか１つ以上の機能とファクシミリ機能を備えた複合装置、またはファクシミリ通信機能を備えたサーバーシステムにも適用可能である。
【符号の説明】
【０１３０】
１    交換回線網
２、３、４    回線
５    ＦＡＸ‐Ｂ
６    ＦＡＸ‐Ｃ
１０  ＣＰＵ
１１  システムバス
１２  ＲＯＭ
１３  ＲＡＭ
１４  読取装置
１５  印刷装置
１６  通信装置
１７  操作表示装置
２０  制御部
２１  システム制御部
２２  操作表示制御部
２３  読取制御部
２４  印刷制御部
２５  画像データ処理部
２６  通信制御部
２７  通信ジョブ管理部
２８  レポート作成部
２９  ＢＯＸ情報管理部
３０  相手機情報取得部
３１  ＢＯＸ指定判定部
３２  エラー原因送信許可判定部
３３  ＢＯＸ不一致レポート作成部
３４  エラー原因通知能力部
３５  ＢＯＸ不一致情報表示部
４０  通信ジョブ情報
４１  通信種別
４２  通信結果情報
４３  相手先電話番号
４４  指定ＢＯＸ番号
４５  指定パスワード
４６  ＢＯＸ不一致情報
５０  エラー原因通知許可宛先情報
５１  ビット
６０  ＢＯＸ登録情報
６１  ＢＯＸ番号
６２  ＢＯＸ種別
６３  ＢＯＸパスワード
６４  画データ
１００  ＦＡＸ‐Ａ
【図１】
2014183489.tif 000003
【図２】
2014183489.tif 000004
【図３】
2014183489.tif 000005
【図４】
2014183489.tif 000006
【図５】
2014183489.tif 000007
【図６】
2014183489.tif 000008
【図７】
2014183489.tif 000009
【図８】
2014183489.tif 000010
【図９】
2014183489.tif 000011
【図１０】
2014183489.tif 000012
【図１１】
2014183489.tif 000013
【図１２】
2014183489.tif 000014
【図１３】
2014183489.tif 000015
【図１４】
2014183489.tif 000016
【図１５】
2014183489.tif 000017
【図１６】
2014183489.tif 000018
【図１７】
2014183489.tif 000019
【図１８】
2014183489.tif 000020
【図１９】
2014183489.tif 000021
【図２０】
2014183489.tif 000022
【図２１】
2014183489.tif 000023
【図２２】
2014183489.tif 000024
【図２３】
2014183489.tif 000025
【図２４】
2014183489.tif 000026